(57)【要約】【課題】補助化粧パネルの固定においてコスト低下を図りつつ、かつ、意匠性低下を抑制可能な補助化粧パネルを提供する。【解決手段】対象製品に形成されたネジ穴に挿入されるネジ部（２０１）と、ネジ部の一端に形成されるネジ頭部（２０２）と、が一体の部材で構成され、ネジ頭部（２０２）は、前記対象製品側において内周に凹む凹み部（３２）が形成されるとともに、対象製品と反対側において外周に向かうにつれて前記対象製品側に傾斜するテーパ部（３１）が形成されるネジ部材（２０）と、ネジ部材（２０）が前記対象製品を固定した状態において、ネジ部材（２０）が見えないよう覆う蓋部材（２１）と、を備え、蓋部材（２１）は、ネジ頭部（２０２）を覆う側の入口径が前記テーパ部（３１）の最外周径より小さく形成される。【選択図】図１
2015172451.tif 000002
【特許請求の範囲】
【請求項１】
対象製品を固定する固定部材であって、
前記対象製品に形成されたネジ穴に挿入されるネジ部（２０１）と、
前記ネジ部の一端に形成されるネジ頭部（２０２）と、が一体の部材で構成され、
前記ネジ頭部（２０２）は、前記対象製品側において内周に凹む凹み部（３２）が形成されるとともに、
前記対象製品と反対側において外周に向かうにつれて前記対象製品側に傾斜するテーパ部（３１）が形成されるネジ部材（２０）と、
前記ネジ部材（２０）が前記対象製品を固定した状態において、前記ネジ部材（２０）が見えないよう覆う蓋部材（２１）と、を備え、
前記蓋部材（２１）は、
前記ネジ頭部（２０２）を覆う側の入口径が前記テーパ部（３１）の最外周径より小さく形成され、かつ、前記入口径は前記テーパ部（３１）に対して当該蓋部材（２１）が前記対象製品側に押し込まれることにより広がり、その後、前記凹み部（３２）によって小さくなることで当該蓋部材（２１）が前記ネジ部材（２０）に固定されることを特徴とする固定部材。
【請求項２】
請求項１に記載の固定部材において、
前記ネジ部材（２０）の凹み部（３２）は、前記対象製品側に外周に向かうにつれて前記対象製品と反対側に傾斜するテーパ部（３１）により形成されることを特徴とする固定部材。
【請求項３】
請求項１又は２に記載の固定部材において、
前記蓋部材（２１）は前記対象製品側の外周の一部において、開口穴（３７）が形成されることを特徴とする固定部材。
【請求項４】
空気調和機本体（１）の更新時に天井材（７）に形成される天井開口部（５）が化粧パネル（２）により覆われるとともに、前記天井開口部（５）と前記化粧パネル（２）との間に形成される天井余剰開口部（６）を覆う補助化粧パネル（１０）において、
前記補助化粧パネル（１０）を請求項１〜３の何れかに記載の固定部材により、前記天井材（７）に固定することを特徴とする天井埋め込み式空気調和機の補助化粧パネル。
【発明の詳細な説明】
【技術分野】
【０００１】
本発明は、固定部材、及び天井埋め込み式空気調和機の補助化粧パネルに関する。
【背景技術】
【０００２】
天井埋め込み式空気調和機の補助化粧パネルに関する従来技術として、特許文献１（特開２０００−４６３６５号公報）に示すものがある。この特許文献１の図１に示すように、一般に、天井埋込式空気調和機は、図１に示すように、天井Ｃに形成された矩形形状の開口３の上方に空気調和機本体１を配置し、該空気調和機本体１の下面に対して前記開口３を覆う矩形形状の化粧パネル２を取り付けて構成されている。なお、特許文献１の図１において空気調和機本体１内には、送風機４、熱交換器５が内蔵され、前記化粧パネル２には、エアフィルター６、空気吸込口７、空気吹出口８を備えている。符号９はファンモータ、１０はベルマウス、１１はドレンパン、１２は吸込グリルである。      
近年、空気調和機の小型化が進むなか、同一の馬力の空気調和機でも従来機種より小型化される傾向にある。従って、空気調和機を更新する際には、空気調和機本体および化粧パネルのサイズが小さくなる。すると、特許文献１の図２に示すように、空気調和機の更新時に、化粧パネル２の両側に余剰開口１３，１３が形成されることとなる。この余剰開口１３，１３を天井パネルの張り替えで覆うと、その部分だけ天井パネルが新しいものとなり、見苦しくなる。そこで、従来は、前記余剰開口１３，１３を覆うために額縁形状の枠を化粧パネルに取り付けるようにしていた。
【０００３】
また特許文献１においては、簡単な手段により空気調和機の更新時に生ずる余剰開口を作業性よく覆い得るようにすることを目的とし、「天井Ｃに形成された矩形形状の開口３の上方に空気調和機本体１を配置し、該空気調和機本体１の下面に対して前記開口３を覆う矩形形状の化粧パネル２を取り付けてなる天井埋込式空気調和機において、化粧パネルのサイズが小さい空気調和機への更新時に、前記開口３と前記化粧パネル２との間に化粧パネルのサイズが小さくなることによって形成される余剰開口１３を覆う補助化粧パネル１４を着脱自在に取り付けて、補助化粧パネル１４を取り付けるだけで、容易に余剰開口１３を覆うことができるようにしている。」と記載されている。
【先行技術文献】
【特許文献】
【０００４】
【特許文献１】特開２０００−４６３６５号公報
【発明の概要】
【発明が解決しようとする課題】
【０００５】
特許文献１においては、補助化粧パネル１４を係止部１５、係止金具１６、ビス１７等の複数の部品により固定するものであるため、部品点数が多くコスト増大を招く虞がある。そこで本発明は、補助化粧パネルの固定においてコスト低下を図りつつ、かつ、意匠性低下を抑制可能な補助化粧パネルを提供することを目的とする。
【課題を解決するための手段】
【０００６】
上記目的を達成するために、本発明は、
「対象製品を固定する固定部材であって、
前記対象製品に形成されたネジ穴に挿入されるネジ部（２０１）と、
前記ネジ部の一端に形成されるネジ頭部（２０２）と、が一体の部材で構成され、
前記ネジ頭部（２０２）は、前記対象製品側において内周に凹む凹み部（３２）が形成されるとともに、
前記対象製品と反対側において外周に向かうにつれて前記対象製品側に傾斜するテーパ部（３１）が形成されるネジ部材（２０）と、
前記ネジ部材（２０）が前記対象製品を固定した状態において、前記ネジ部材（２０）が見えないよう覆う蓋部材（２１）と、を備え、
前記蓋部材（２１）は、
前記ネジ頭部（２０２）を覆う側の入口径が前記テーパ部（３１）の最外周径より小さく形成され、かつ、前記入口径は前記テーパ部（３１）に対して当該蓋部材（２１）が前記対象製品側に押し込まれることにより広がり、その後、前記凹み部（３２）によって小さくなることで当該蓋部材（２１）が前記ネジ部材（２０）に固定されること」を特徴とする。
【発明の効果】
【０００７】
上記した本発明によれば、補助化粧パネルの固定においてコスト低下を図りつつ、かつ、意匠性低下を抑制可能な補助化粧パネルを提供することが可能となる。本発明のその他の構成、作用、効果については、以下の実施例において詳細に説明する。
【図面の簡単な説明】
【０００８】
【図１】本発明の実施例である補助化粧パネルの取り付け構成を示す図。
【図２】天井材に補助化粧パネルを設置した状態を断面にして、固定部材の取り付いている状態を示した図。
【図３】本発明の樹脂部材とネジ部材の取り付け関係を示した図。
【図４】本発明の実施例であるネジ部材単体の詳細図。
【図５】本発明の実施例である蓋部材単体の詳細図。
【発明を実施するための形態】
【０００９】
以下、本発明の天井埋め込み式空気調和機の補助化粧パネルの実施例について、図面に基づいて説明する。本実施例の補助化粧パネルは、天井埋め込み式空気調和機用のオプション部品であり、リニューアル物件において既存の室内ユニットが取り付いていた天井開口寸法穴に対し、空気調和機用の化粧パネルにより、その開口を覆いきれない場合に使用するものである。
【００１０】
図１は本実施例の補助化粧パネルの取り付け構成を示す図である。図１に示す様に、空気調和機の更新時において、天井の開口部（５）に更新した空気調和機本体（１）を設置し、その天井の開口部（５）を化粧パネル（２）によって覆い設置する。
【００１１】
しかし、化粧パネル端（仮想線）（４）よりも天井開口部（５）が大きい場合には、化粧パネル（２）で覆いきれず、天井余剰開口部（６）ができることになる。そのような場合に、オプション設定品である  補助化粧パネル（１０）を使用して、天井余剰開口部（６）を塞ぎ意匠性が損なわれない様、対応することが考えられる。
【００１２】
この補助化粧パネル（１０）の取付けは、空気調和機用の化粧パネル（２）の上に載せ、空気調和機本体（１）に化粧パネル（２）と共に固定用のネジで取り付ける。その後、補助化粧パネル（１０）のネジ部材を使用し、補助化粧パネル（１０）のネジ穴から天井材（７）に固定する。このようにネジ部材を用いて補助化粧パネル（１０）を天井材（７）に固定することにより部品点数を低コストにて固定可能である。
【００１３】
このネジ部材には、通常のタッピンネジの頭部に化粧パネル（２）の色調に合わせた、焼付け塗装を施し、ネジ頭部の意匠性が損なわれないものを使用することが望ましい。しかし、このように補助化粧パネル（１０）に使用するネジ部材として、化粧パネル（２）又は補助化粧パネル（１０）と同系色に塗装を施すことで意匠性が損なわないよう配慮したとしても、天井材（７）に取り付けた際にネジ部材の頭部に配置された工具締め付け用の十字穴が黒く見え、これにより意匠性を損なうという課題があることが判明した。
【００１４】
つまり、ネジ部材の十字穴は工具挿入用に塗装皮膜を薄くしていることと、ドライバー工具の締め付けにより塗装部が削れることに起因して、塗装前の地金が見えることで意匠性の低下を招くものである。そこで本実施例においては、補助化粧パネル（１０）を天井材（７）に取り付けた際に、部品点数を少なく低コスト化を図るとともにネジ部材の意匠性の低下を改善し、且つ作業性の低下を抑制することができる、固定部材、及びこの固定部材により天井材（７）に固定される天井埋め込み式空気調和機の補助化粧パネルについて説明する。
【００１５】
ここで図２は天井材（７）に補助化粧パネル（１０）を設置した状態を断面にして、固定部材の取り付いている状態を示した図であり、図３は蓋部材（樹脂キャップ（２１））とネジ部材（２０）の取り付け関係を示した図である。また、図４はネジ部材（２０）単体の詳細図を示しており、また図５は蓋部材（樹脂キャップ（２１））単体の詳細図を示す。
【００１６】
図２に示すように、補助化粧パネル（１０）は、化粧パネル（２）の上に載せ、空気調和機本体（１）に、化粧パネル取り付けネジ（３）で取り付けられる。そして補助化粧パネル（１０）の取り付け穴に、ネジ部材（２０）を挿入し、天井材（７）にネジ部材（２０）で固定する。これにより天井開口部（５）を覆うものである。
【００１７】
図３は本実施例の対象製品（補助化粧パネル（１０））を固定する固定部材を示し、この固定部材は、ネジ部材（２０）と蓋部材（樹脂キャップ（２１））とが組み合わされて構成される。
【００１８】
図４に示すようにネジ部材（２０）は、補助化粧パネル（１０）に形成されたネジ穴に挿入されるネジ部（２０１）と、ネジ部の一端に形成されるネジ頭部（２０２）と、が一体の部材で構成される。ネジ部材としては座金を用いるものがあるが、本実施例ではこのように座金を不要として一体の部材で構成することにより部品点数の低減を図るものである。
【００１９】
そしてネジ頭部（２０２）は、補助化粧パネル（１０）の側において内周に凹む凹み部（３２）が形成されるとともに、補助化粧パネル（１０）と反対側において外周に向かうにつれて補助化粧パネル（１０）の側に傾斜するテーパ部（３１）が形成される。
【００２０】
図５はネジ部材（２０）が補助化粧パネル（１０）を固定した状態において、ネジ部材（２０）が見えないよう覆う蓋部材（２１）を示す。蓋部材（２１）は、ネジ頭部（２０２）を覆う側の入口径がテーパ部（３１）の最外周径より小さく形成され、かつ、入口径はテーパ部（３１）に対して蓋部材（２１）が補助化粧パネル（１０）の側に押し込まれることにより広がり、その後、凹み部（３２）によって小さくなることで当該蓋部材（２１）がネジ部材（２０）に固定される。
【００２１】
樹脂キャップ（２１）において、ネジ頭部（２０２）が入る側の入口側先端には、そのガイド用カット面（３５）が設けられ、このガイド用カット面（３５）の入口径がテーパ部（３１）の最外周径より小さく形成されるものの、樹脂キャップ（２１）を嵌め込む際に、ガイド用カット面（３５）がテーパ部（３１）に接触してガイドされることで外周側に広がる。
【００２２】
そしてその後に、ガイド用カット面（３５）の位置がテーパ部（３１）の最外周径を超えると、凹み部（３２）において内周側に入り込むことにより、ここで図５に示す樹脂キャップ（２１）の入口側先端のガイドカット面（３５）が引っ掛かる。より具体的には、ネジ部材（２０）の凹み部（３２）が、対象製品（補助化粧パネル（１０））の側に外周に向かうにつれて補助化粧パネル（１０）と反対側に傾斜するテーパ部（３１）により形成されるため、樹脂キャップ（２１）がネジ頭部（２０２）から抜け落ちない様にすることが可能となる。このような形状により本実施例によれば作業者が容易に樹脂キャップ（２１）の嵌め込みを行うことを可能とするものである。
【００２３】
また本実施例のネジ部材（２０）のネジ頭部（２０２）は、蓋部材（樹脂キャップ（２１））で覆い取付けることが出来るよう、座金形状が採用されることを特徴とするものである。取付けネジと化粧座金を使用する場合は、各々個別の部材となるが、本実施例ではネジ部材（２０）のネジ頭部（２０２）を上記座金形状に加工し、ネジ部（２０１）と一体構造とした特殊ネジを採用した。これにより部品点数を低減しコスト低下を図るものである。
【００２４】
またこのようにネジ頭部（２０２）とネジ部（２０１）とでネジ部材（２０）を一体構造にしたことで、化粧座金を削減することができ、コスト低減を図れるとともに、化粧座金を取付ける手間が省け、締め付け作業が容易になる効果が得られる。
【００２５】
なお、樹脂キャップ（２１）がネジ部材（２０）に嵌め込まれた状態において、ガイド用カット面（３５）に対して補助化粧パネル（１０）と反対側には、ネジ部材（２０）のテーパ部（３１）と略同形状のテーパ（３６）が設けられ、これによりネジ部材（２０）のテーパ部（３１）が保持される。
【００２６】
また樹脂キャップ（２１）の形状は、図５の樹脂キャップ（２１）単品図に示す通りであり、その色調は補助化粧パネルと同一色で、補助化粧パネル（１０）ネジ部材（２０）の頭部を覆い、前記で述べた十字穴等の要因による、補助化粧パネルの意匠性を損なわないようにすることが可能となる。
【００２７】
さらに、樹脂キャップ（２１）は、ネジ頭部を覆った際にネジ頭部が、接触しないように隙間を空けた丸みを設け、ネジ部材の寸法のバラツキに対応する形状にしている。さらに、その隙間により、樹脂キャップをネジ頭部から取り外す際に、樹脂キャップをネジ頭部側より押すことにより、樹脂キャップ（２１）の  挿入口が拡張され、ネジ頭部から外すことが用意となる構造としている。
【００２８】
また、樹脂キャップ（２１）の先端には意匠性を損なわないよう、マイナスドライバ−のような工具先端が挿入できる程度の微小な工具用の開口穴（３７）を設け、その開口穴を使用して工具においても簡単に樹脂キャップが取り外せることができる事を、特徴とした形状としている。樹脂キャップ（２１）の開口穴（３７）は補助化粧パネル（１０）の側の外周の一部において形成される。
【００２９】
以上に説明したように本実施例は、空気調和機本体（１）の更新時に天井材（７）に形成される天井開口部（５）が化粧パネル（２）により覆われるとともに、前記天井開口部（５）と前記化粧パネル（２）との間に形成される天井余剰開口部（６）を覆う補助化粧パネル（１０）において、補助化粧パネル（１０）を上記の何れかに記載の固定部材により、天井材（７）に固定することを特徴とする天井埋め込み式空気調和機の補助化粧パネルである。
【符号の説明】
【００３０】
２０…ネジ部材、２１…蓋部材（樹脂キャップ）、２０１…ネジ部、２０２…ネジ頭部、３１…テーパ部、３２…凹み部。
【図１】
2015172451.tif 000003
【図２】
2015172451.tif 000004
【図３】
2015172451.tif 000005
【図４】
2015172451.tif 000006
【図５】
2015172451.tif 000007